(57)【要約】    【課題】      処理後のオーディオ信号の音質を向上すること。    【解決手段】  無音出力符号化情報入替部１０は、一つの系列を成す複数の音声符号化情報のうち第１の音声符号化情報を他の音声符号化情報に入れ替える。また、レベル判定部５は、複数の音声符号化情報のうちレベルが所定値以下の音声符号化情報を検出する。また、無音出力符号化情報入替部１０は、第１の音声符号化情報を除く複数の音声符号化情報のうち、検出された音声符号化情報を、所定パターンの符号化情報と置き換える。フェードアウト処理部は、所定パターンの符号化情報が他の音声符号化情報の直後に位置する場合、所定パターンの符号化情報にフェードアウト処理を施す。  【選択図】      図１
2006107544.tif 000002
【特許請求の範囲】
【請求項１】
一つの系列を成す複数の音声符号化情報のうち第１の音声符号化情報を他の音声符号化情報に入れ替える入れ替え手段と、
前記複数の音声符号化情報のうちレベルが所定値以下の音声符号化情報を検出する検出手段と、
前記第１の音声符号化情報を除く前記複数の音声符号化情報のうち、検出された音声符号化情報を、所定パターンの符号化情報と置き換える置き換え手段と、
前記所定パターンの符号化情報が前記他の音声符号化情報の直後に位置する場合、前記所定パターンの符号化情報にフェードアウト処理を施すフェードアウト処理手段と、
を有することを特徴とするオーディオ信号処理装置。
【請求項２】
前記置き換え手段は、
復号することによって無音情報が得られる符号化情報であって、前記無音情報と可逆である符号化情報との置き換えを行う、
ことを特徴とする請求項１記載のオーディオ信号処理装置。
【請求項３】
請求項１または請求項２記載のオーディオ信号処理装置を有することを特徴とする移動局装置。
【請求項４】
一つの系列を成す複数の音声符号化情報のうち第１の音声符号化情報を他の音声符号化情報に入れ替える入れ替えステップと、
前記複数の音声符号化情報のうちレベルが所定値以下の音声符号化情報を検出する検出ステップと、
前記第１の音声符号化情報を除く前記複数の音声符号化情報のうち、検出した音声符号化情報を、所定パターンの符号化情報と置き換える置き換えステップと、
前記所定パターンの符号化情報が前記他の音声符号化情報の直後に位置する場合、前記所定パターンの符号化情報にフェードアウト処理を施すフェードアウト処理ステップと、
を有することを特徴とするオーディオ信号処理方法。
【発明の詳細な説明】
【技術分野】
【０００１】
本発明は、オーディオ信号処理装置およびオーディオ信号処理方法に関し、特に、オーディオファイル（例えば、音声・音楽ファイル）の編集を行うオーディオ信号処理装置およびオーディオ信号処理方法に関する。
【背景技術】
【０００２】
近年、ディジタル携帯電話システムにおいては、音声通信機能の他に、オーディオファイルを再生する機能を利用できるようになっている。また、これに伴って、オーディオファイルを編集する機能についての検討がなされている（例えば、特許文献１参照）。
【０００３】
オーディオファイルを編集するためのオーディオ信号処理方法の一つに、アフレコ（アフターレコーディング）と呼ばれるものがある。アフレコには、既に録音済みのオーディオファイルに対して、ファイルを全体的にまたは部分的に録音し直す、もしくは、既に録音済みの他のオーディオファイルと合成して記録する、などの機能を総称したものである。
【０００４】
また、あるオーディオファイル内の符号化情報を他の符号化情報に入れ替えることによってアフレコが実施される場合がある。
【特許文献１】特開２００１−１７６２１５号公報
【発明の開示】
【発明が解決しようとする課題】
【０００５】
しかしながら、上記従来のオーディオ信号処理方法においては、符号化情報の入れ替えによってアフレコを実施した場合、入れ替え後のオーディオファイルにおいて符号化情報の不連続性が生じることがある。符号化情報の不連続性が生じると、復号された音声または音楽において異音が発生する。よって、処理後のオーディオ信号の音質が劣化するという問題があった。
【０００６】
本発明は、かかる点に鑑みてなされたもので、処理後のオーディオ信号の音質を向上することができるオーディオ信号処理装置およびオーディオ信号処理方法を提供することを目的とする。
【課題を解決するための手段】
【０００７】
本発明のオーディオ信号処理装置は、一つの系列を成す複数の音声符号化情報のうち第１の音声符号化情報を他の音声符号化情報に入れ替える入れ替え手段と、前記複数の音声符号化情報のうちレベルが所定値以下の音声符号化情報を検出する検出手段と、前記第１の音声符号化情報を除く前記複数の音声符号化情報のうち、検出された音声符号化情報を、所定パターンの符号化情報と置き換える置き換え手段と、前記所定パターンの符号化情報が前記他の音声符号化情報の直後に位置する場合、前記所定パターンの符号化情報にフェードアウト処理を施すフェードアウト処理手段と、を有する構成を採る。
【０００８】
この構成によれば、アフレコにおいて入れ替えられた音声符号化情報の直後に位置し且つ実質的に無音の音声符号化情報と置き換えられた所定パターンの符号化情報に対してフェードアウト処理を施すため、入れ替えられた音声符号化情報とその直後に位置する実質的に無音の音声符号化情報との間に不連続性が発生することを防止することができ、復号された音声または音楽において異音の発生を低減することができ、よって、処理後のオーディオ信号の音質を向上することができる。
【０００９】
本発明のオーディオ信号処理装置は、上記構成において、前記置き換え手段は、復号することによって無音情報が得られる符号化情報であって、前記無音情報と可逆である符号化情報との置き換えを行う構成を採る。
【００１０】
この構成によれば、復号することによって得られる無音情報と可逆である符号化情報との置き換えを行うため、再度アフレコを実施する場合にも、前回アフレコを実施したときと同様の処理を実施することができる。
【００１１】
本発明の移動局装置は、上記のオーディオ信号処理装置を有する構成を採る。
【００１２】
この構成によれば、上記と同様の作用効果を、移動局装置において実現することができる。
【００１３】
本発明のオーディオ信号処理方法は、一つの系列を成す複数の音声符号化情報のうち第１の音声符号化情報を他の音声符号化情報に入れ替える入れ替えステップと、前記複数の音声符号化情報のうちレベルが所定値以下の音声符号化情報を検出する検出ステップと、前記第１の音声符号化情報を除く前記複数の音声符号化情報のうち、検出した音声符号化情報を、所定パターンの符号化情報と置き換える置き換えステップと、前記所定パターンの符号化情報が前記他の音声符号化情報の直後に位置する場合、前記所定パターンの符号化情報にフェードアウト処理を施すフェードアウト処理ステップと、を有するようにした。
【００１４】
この方法によれば、アフレコにおいて入れ替えられた音声符号化情報の直後に位置し且つ実質的に無音の音声符号化情報と置き換えられた所定パターンの符号化情報に対してフェードアウト処理を施すため、入れ替えられた音声符号化情報とその直後に位置する実質的に無音の音声符号化情報との間に不連続性が発生することを防止することができ、復号された音声または音楽において異音の発生を低減することができ、よって、処理後のオーディオ信号の音質を向上することができる。
【発明の効果】
【００１５】
以上説明したように、本発明によれば、処理後のオーディオ信号の音質を向上することができる。
【発明を実施するための最良の形態】
【００１６】
以下、本発明の実施の形態について、図面を用いて詳細に説明する。
【００１７】
図１は、本発明の一実施の形態に係るオーディオ信号処理装置を備えた移動局装置の構成を示すブロック図である。移動局装置は、アンテナ１と、ＲＦ復調部２と、音声・音楽復号化部３と、Ｄ／Ａ変換部４と、レベル判定部５と、再生部６と、入力部７と、Ａ／Ｄ変換部８と、音声・音楽符号化部９と、無音出力符号化情報入替部１０と、ファイル生成部１１と、ファイル記憶部１２と、を備えている。
【００１８】
音声・音楽ファイル信号は、アンテナ１によって受信されＲＦ復調部２へ出力される。ＲＦ復調部２は、アンテナ１から出力されたＲＦ信号から音声・音楽符号化情報を復調する。ＲＦ復調部２によって復調された音声・音楽符号化情報は、音声・音楽復号化部３と無音出力符号化情報入替部１０へ出力される。
【００１９】
音声・音楽復号化部３は、ＲＦ復調部２から出力された音声・音楽符号化情報を復号する。また、ファイル記憶部１２からアフレコ実施後音声・音楽符号化情報が入力された場合は、アフレコ実施後音声・音楽符号化情報を復号する。音声・音楽復号化部３によって復号された音声・音楽ディジタル情報は、Ｄ／Ａ変換部４へ出力される。
【００２０】
Ｄ／Ａ変換部４は、音声・音楽復号化部３によって復号された音声・音楽ディジタル情報を音声・音楽アナログ情報へ変換する。Ｄ／Ａ変換部４によって変換された音声・音楽アナログ情報は、再生部６へ出力される。再生部６は、Ｄ／Ａ変換部４によって変換された音声・音楽アナログ情報を音波として再生する。また、音声・音楽復号化部３によって復号された音声・音楽ディジタル情報は、レベル判定部５へも出力される。
【００２１】
レベル判定部５は、音声・音楽復号化部３によって復号された音声・音楽ディジタル情報から、あるフレーム区間毎のレベル判定を行う。換言すれば、レベルが所定値以下の符号化情報を検出する。レベル判定部５によって判定されたレベル情報は、無音出力符号化情報入替部１０へ出力される。
【００２２】
アフレコ用音声・音楽信号つまり音声・音楽ファイル信号の一部と入れ替える信号は、入力部７から入力されＡ／Ｄ変換部８へ出力される。Ａ／Ｄ変換部８は、入力部７によって入力されたアフレコ用音声・音楽信号をアフレコ用音声・音楽ディジタル情報へ変換する。Ａ／Ｄ変換部８によって変換されたアフレコ用音声・音楽ディジタル情報は、音声・音楽符号化部９へ出力される。音声・音楽符号化部９は、Ａ／Ｄ変換部８によって変換されたアフレコ用音声・音楽ディジタル情報をアフレコ用音声・音楽符号化情報へ符号化する。音声・音楽符号化部９によって符号化されたアフレコ用音声・音楽符号化情報は、無音出力符号化情報入替部１０へ出力される。
【００２３】
無音出力符号化情報入替部１０は、音声・音楽符号化部９によって符号化されたアフレコ用音声・音楽符号化情報と、ＲＦ復調部２によって復調された音声・音楽符号化情報と、レベル判定部５によって判定されたレベル情報を使用して、後述する符号化情報入替処理を行う。
【００２４】
無音出力符号化情報入替部１０にて、アフレコ用音声・音楽符号化情報、無音出力符号化情報が入れ替えられた音声・音楽符号化情報から成るアフレコ実施後音声・音楽符号化情報は、ファイル生成部１１へ出力される。ファイル生成部１１は、無音出力符号化情報入替部１０から入力されたアフレコ実施後音声・音楽符号化情報を、ＲＦ復調部２によって復調された音声・音楽符号化情報と同様のファイル形式に変換して出力する。ファイル記憶部１２は、ファイル生成部１１から入力されたアフレコ実施後音声・音楽符号化情報をファイル形式で記憶する。記憶されたアフレコ実施後音声・音楽符号化情報は、必要に応じて音声・音楽復号化部３に出力される。
【００２５】
次いで、上記構成を有する移動局装置内の符号化情報入替処理について図２を用いて説明する。
【００２６】
（a）は、レベル判定部５によって判定されたレベル情報の例である。フレーム単位でのレベル判定結果を示している。（b）は、レベル判定部５にてレベル判定を実施した、音声・音楽の符号化情報である。（c）は、アフレコ用音声・音楽の符号化情報である。（d）は、（b）に示す符号化情報を復号した音声・音楽波形である。（e）は、（c）に示す符号化情報を復号した音声・音楽波形である。（f）は、アフレコ実施後の音声・音楽符号化情報である。（g）は、（f）に示す符号化情報を復号した音声・音楽波形である。
【００２７】
無音出力符号化情報入替部１０では、音声・音楽符号化情報とアフレコ用音声・音楽符号化情報の入れ替えを行う。（c）に示すように、フレーム０にのみアフレコ用音声・音楽符号化情報が存在するため、フレーム０のみ符号化情報の入れ替えを行う。
【００２８】
また、レベル判定部５にて判定されたレベル情報から、レベルがある閾値以下のフレームにおいては、無音出力符号化情報で置き換える。レベルがある閾値以下のフレームは、無音に近いフレームであり、実質的に無音であると判断されるフレームである。（a）に示されているとおり、フレーム１、フレーム２およびフレーム４の各レベルが閾値以下のため、無音出力符号化情報で置き換える。（f）は、無音出力符号化情報で置き換えたアフレコ実施後の音声・音楽符号化情報である。（g）は、（f）に示す符号化情報を復号した音声・音楽波形である。
【００２９】
無音出力符号化情報は、音声・音楽復号化部３にて無音が復号される固定パターンの符号化情報である。前フレームが無音出力符号化情報でない場合には、（g）に示すように、前フレームの音声・音楽ディジタル情報と不連続にならないように、図示されないフェードアウト処理部にて、無音出力符号化情報に対して、フェードアウト処理が行われる。前フレームが無音出力符号化情報である場合には、無音ディジタル情報を出力する。この無音ディジタル情報も特定の固定パターンであり、音声・音楽符号化部９にて、無音出力符号化情報に符号化される。つまり、無音出力符号化情報と、それを復号した無音ディジタル情報は可逆である。そのため、再度アフレコを実施した際にも、最初のアフレコ実施時と同様の処理を実施することができる。
【００３０】
このように、本実施の形態によれば、アフレコにおいて入れ替えられた音声符号化情報の直後に位置し且つ実質的に無音の音声符号化情報と置き換えられた所定パターンの符号化情報に対してフェードアウト処理を施すため、入れ替えられた音声符号化情報とその直後に位置する実質的に無音の音声符号化情報との間に不連続性が発生することを防止することができ、復号された音声または音楽において異音の発生を低減することができ、よって、処理後のオーディオ信号の音質を向上することができる。
【産業上の利用可能性】
【００３１】
本発明のオーディオ信号処理装置およびオーディオ信号処理方法は、処理後のオーディオ信号の音質を向上する効果を有し、オーディオファイルの編集を行うのに有用である。
【図面の簡単な説明】
【００３２】
【図１】本発明の一実施の形態に係る移動局装置の構成を示すブロック図
【図２】本実施の形態の移動局装置における符号化情報入替処理を説明するための図
【符号の説明】
【００３３】
１  アンテナ
２  ＲＦ復調部
３  音声・音楽復号化部
４  Ｄ／Ａ変換部
５  レベル判定部
６  再生部
７  入力部
８  Ａ／Ｄ変換部
９  音声・音楽符号化部
１０  無音出力符号化情報入替部
１１  ファイル生成部
１２  ファイル記憶部
【図１】
2006107544.tif 000003
【図２】
2006107544.tif 000004